(57)【要約】【課題】先端硬性部の径を変えることなしに、湾曲動作を繰り返してシートと連結リベットとが擦れ合ってもシートが破れてしまうことがほとんどなく、長期間にわたって安定した絶縁機能を維持することができる内視鏡挿入部のシールド構造を提供する。【解決手段】先端硬性部内のシールドケースの外囲は、電気絶縁フィルムに覆われていて、電気絶縁フィルムの一部が連結リベットに接触し、電気絶縁フィルムは、接着層を持たない非接着シートと接着層を有する接着テープとを組み合わせて構成されており、この非接着シートが連結リベットに接触する。【選択図】  図２
2004236678.tif 000002
【特許請求の範囲】
【請求項１】
先端硬性部と、この先端硬性部に連結リベットを介して連なる湾曲部とを有し、前記先端硬性部内には、固体撮像素子、前記固体撮像素子に駆動信号を供給するための基板、及び、前記固体撮像素子及び前記基板を内部に収容する金属製のシールドケースが備えられ、このシールドケースの外囲は、電気絶縁フィルムに覆われていて、該電気絶縁フィルムの一部が前記連結リベットに接触する内視鏡挿入部のシールド構造において、
前記電気絶縁フィルムは、接着層を持たない非接着シートと接着層を有する接着テープとを組み合わせて構成されており、この非接着シートが前記連結リベットに接触することを特徴とする内視鏡挿入部のシールド構造。
【請求項２】
前記シールドケースは断面略矩形をなしていて、その一面が前記連結リベットに対向し、前記非接着シートは、シールドケースの前記連結リベット対向壁面とこの対向壁面に略直交する一対の平行壁面の外面に渡らせて設けられており、前記接着テープは、前記連結リベット対向壁面と平行なリベット離隔壁面及び前記一対の平行壁面上の非接着シート上に接着されている請求項１記載の内視鏡挿入部のシールド構造。
【請求項３】
前記接着テープは、前記非接着シートと同一の材料からなる基材と接着層とからなり、この基材と接着層の合計厚は、前記非接着シートの厚さと同一である請求項１または請求項２記載の内視鏡挿入部のシールド構造。
【発明の詳細な説明】
【０００１】
【技術分野】
本発明は内視鏡に関し、とくに挿入部内のシールド（絶縁）構造に関する。
【０００２】
【従来技術及びその問題点】
図６及び図７に示すように、患部の状態をＣＣＤ（固体撮像素子）１６１で受光する従来の電子内視鏡１０１においては、ＣＣＤ１６１と、ＣＣＤ１６１に電気的に結合される基板１６４とが先端硬性部１６０内の金属製のシールド部材１６６内に配置されている。このシールド部材１６６は、周囲の部材から電気的に絶縁するため、外周を電気絶縁性のテープ１６５、１６８で覆われていた。
【０００３】
しかし、シールド部材１６６は、その上部が湾曲部１４０の内面に配置された連結リベット１４２に近接して配置されていたため、湾曲部１４０の湾曲動作によって電気絶縁性のテープ１６８と連結リベット１４２が擦れ合い、これを繰り返すことによってテープ１６８が破れ、絶縁機能を果たさなくなる場合があった。
【０００４】
【特許文献】
実公平６−３５２１０号公報
【０００５】
【発明の目的】
そこで本発明の目的は、先端硬性部の径を変えることなしに、湾曲動作を繰り返してシートと連結リベットとが擦れ合ってもシートが破れてしまうことがほとんどなく、長期間にわたって安定した絶縁機能を維持することができる内視鏡挿入部のシールド構造を提供することにある。
【０００６】
【発明の概要】
上記問題点を解決するために、本発明の内視鏡の挿入部においては、先端硬性部と、この先端硬性部に連結リベットを介して連なる湾曲部とを有し、先端硬性部内には、固体撮像素子、固体撮像素子に駆動信号を供給するための基板、及び、固体撮像素子及び前記基板を内部に収容する金属製のシールドケースが備えられ、このシールドケースの外囲は、電気絶縁フィルムに覆われていて、電気絶縁フィルムの一部が連結リベットに接触し、電気絶縁フィルムは、接着層を持たない非接着シートと接着層を有する接着テープとを組み合わせて構成されており、この非接着シートが連結リベットに接触することを特徴としている。
【０００７】
シールドケースは断面略矩形をなしていて、その一面が連結リベットに対向し、非接着シートは、シールドケースのリベット対向壁面とこの対向壁面に略直交する一対の平行壁面の外面に渡らせて設けられており、接着テープは、リベット対向壁面と平行なリベット離隔壁面及び一対の平行壁面上の非接着シート上に接着されていることが好ましい。
【０００８】
接着テープは、非接着シートと同一の材料からなる基材と接着層とからなり、この基材と接着層の合計厚は、非接着シートの厚さと同一であることが好ましい。
【０００９】
【発明の実施形態】
以下、本発明にかかる実施形態を図面を参照しつつ詳しく説明する。  本実施形態にかかる内視鏡１は、図１に示すように、生体内に挿入される挿入部３０と、吸引、湾曲を行うための操作部１０と、を有する。
【００１０】
患者体内に挿入される挿入部３０は、挿入部３０を外装する可撓管部２０、湾曲部４０、先端硬性部６０により構成されており、前方の患部に照明光を照射する２つの照明窓３４及び１つの観察窓３７などが配置されている先端硬性部６０と、先端硬性部６０を所定の観察方向へ向けるために所定の角度範囲内で湾曲可能な湾曲部４０と、を有する。なお、本実施形態において、前側とは内視鏡１の先端硬性部６０側を、後側とは内視鏡１の操作部１０側をいうものとする。
【００１１】
操作部１０は、吸引ボタン１１、遠隔操作ボタン１２、湾曲操作ノブ１３を備えている。吸引ボタン１１を押し込むと、先端硬性部６０の前面に開口する鉗子チャネル３５ａから吸引が行われ、患部に対する洗浄水や粘液等の除去や、体腔内空気の排除が行われる。遠隔操作ボタン１２を押すことにより、モニター（不図示）に対してフリーズ（画像静止）やコピー等の指令を出すことができる。また、吸引装置に接続して上記吸引操作を行うこともできる。
【００１２】
挿入部３０と操作部１０の間に配置される鉗子口１５には、生検用鉗子やブラシが挿入される。鉗子口１５に挿入された生検用鉗子やブラシは、鉗子チャネルチューブ３５内を挿通されて先端硬性部６０の開口部分から突出する。
【００１３】
＜湾曲部＞
湾曲部４０は、図２に示すように、その長手方向において、略リング状の湾曲節輪４１を複数配置してなっている。隣接する湾曲節輪４１は、湾曲部４０の径方向において、端部が重なりあっている。隣接する湾曲節輪４１の互いに重なりあった部分は、湾曲部４０の周方向において等間隔に上下２箇所に配置された連結リベット４２〜４７により連結されており、その後側は可撓管部２０に対して湾曲自在に連結されている。連結リベット４２並びに４３、４４並びに４５、及び、４６並びに４７は、それぞれ、湾曲部４０の周方向において上下に配置された連結リベットの組であって、挿入部３０の前側から後側へ連結配置されている。それぞれの湾曲節輪４１は互いに独立に湾曲可能である。各節輪４１を連結してなる節輪アッセンブリは、節輪４１間の隙間に対する噛み込み防止のために、金属線を編組した網状管３１により被覆保護され、網状管３１はその外側を被覆ゴム３２によって被覆されている。
【００１４】
このように構成した湾曲部４０は、図３に示すように、操作者２が湾曲操作ノブ１３を回転中心１４を中心に図３の矢印Ａ方向に回動することによって湾曲可能である。すなわち、操作者２が湾曲操作ノブ１３を操作すると、湾曲部４０内に挿通され湾曲操作ノブ１３に接続された湾曲操作ワイヤ３６（図４）が牽引又は解放され、湾曲操作ワイヤ３６の動きに応じて湾曲部４０が湾曲する。このため、図３の矢印Ｂで示すように、操作者２は湾曲部４０を所望の角度、方向に湾曲させることができる。
【００１５】
＜先端硬性部＞
図２及び図４に示すように、先端硬性部６０は、照明窓３４、鉗子チャネルチューブ３５、湾曲操作ワイヤ３６のほかに、受光部６１ａ並びに受光部６１ａを保護するための透明層６１ｂを備えるＣＣＤ（固体撮像素子）６１、及び、ＣＣＤ６１の前方に配置された対物レンズ群６２を備えている。ＣＣＤ６１及び対物レンズ群６２は、絶縁カバー６３に囲まれている。先端硬性部６０の長手方向に平行に配置された対物レンズ群６２及びＣＣＤ６１は、照明窓３４、鉗子チャネルチューブ３５、湾曲操作ワイヤ３６を避けるように、略円筒状の先端硬性部６０の軸線から上方に偏心した位置に設けられている。レンズ枠６２ｂに複数のレンズを固定してなる対物レンズ群６２のうち、最も前側の対物レンズ６２ａの表面は、先端硬性部６０の先端面とほぼ同一面上に配置されている。なお、レンズ枠６２ｂは、外筒６２ｃの内周に固定されている。
【００１６】
ＣＣＤ６１の後方には基板６４が配置され、基板６４の後側にはシールドケーブル４８が配置されている。シールドケーブル４８内に配線されているケーブル（不図示）は、シールドケース６６の後方の開口からシールドケース６６内に挿入されてシールドケース６６内の基板６４にはんだ付けされており、シールドケーブル４８及び基板６４を介して、電源（不図示）からＣＣＤ６１に駆動電力が供給される。
【００１７】
ＣＣＤ６１及び基板６４は、その外周に電気絶縁性のテープ６５が巻き回されている。テープ６５としては、図５（ａ）に示すように、例えば樹脂製（例えばポリエステル）の基材６５ａ上に接着層６５ｂを積層したものを使用することができ、この接着層６５ｂによって、テープ６５はＣＣＤ６１及び基板６４に固定されている。テープ６５に包まれたＣＣＤ６１及び基板６４は、金属製のシールドケース（金属部材）６６内に収容されている。
【００１８】
断面形状が略矩形のシールドケース６６の上面６６ａ（リベット対向壁面）及び両側面６６ｂ、６６ｃ（平行壁面）には、電気絶縁性のシート６７が配置されている。シート６７としては、例えば樹脂製（例えばポリエステル）のものを使用することができる。シート６７は、図５（ｂ）に示すように、テープ６５とは異なって接着層は有さない非接着性シートであって、テープ６５の基材６５ａと同一材料のみからなり、その厚さはテープ６５の基材と接着層との総厚と同じである。よって、シート６７は、強度に寄与する基材部分がテープ６５の基材６５ａ部分より厚いため、テープ６５よりも高い強度を有する。また、シート６７は、シールドケース６６から後側まで延びるように配置されている。シート６７の前端６７ａは、外筒６２ｃの後端部６２ｃ１に突き当たっているため、シート６７の前側への動きが規制されている。
【００１９】
シールドケース６６の下面（リベット離隔壁面）６６ｄ及び側面６６ｂ、６６ｃにおいては、下面６６ｄには直接、側面６６ｂ、６６ｃにはシート６７を介して、電気絶縁性のテープ６８が配置されている。テープ６８はテープ６５と同一構成（図５（ａ）と同じ構成）、同一材料のものであって、接着層によって下面６６ｄ及びシート６７に対して固定されている。電気絶縁性のシート６７及び電気絶縁性のテープ６８によって、電気絶縁フィルムを構成している。
【００２０】
よって、シート６７は、シールドケース６６に直接は固定されていないが、テープ６８に固定されているため、その動きは規制されている。
【００２１】
さらに、シールドケーブル４８の外周には、電気絶縁性のテープ６９が配置されている。テープ６９はテープ６５と同一構成（図５（ａ）と同じ構成）、同一材料のものであって、接着層によってシールドケーブル４８に対して固定されている。
【００２２】
以上のようにテープ６５、６８、６９、シート６７、シールドケース６６によって構成した内視鏡挿入部のシールド構造においては、シールドケース６６の外囲のうち、挿入部３０上側の連結リベットの中で最も前側に配置された連結リベット４２に接触又は近接する部分（上面６６ａ）に、テープ６５、６８及び６９よりも厚くて強度の高いシート６７を配置してあるため、湾曲部４０の湾曲動作を繰り返して連結リベット４２とシート６７とが擦れ合ってもシート６７が破れてしまうことはほとんどない。よって、長期間にわたって安定した絶縁機能を維持することができる。
【００２３】
また、テープ６５、６８及び６９それぞれの総厚とシート６７の厚さが同じであるため、先端硬性部６０の径を大きくすることなく、長期間にわたって安定した絶縁機能を維持することができる内視鏡１を提供することができる。
【００２４】
シート６７は、上記実施形態においてはシールドケース６６の上面６６ａ全体を覆い、かつ、湾曲部４０側まで延びるように配置されていたが、シールドケース６６の上面６６ａの後部のみ、すなわち、連結リベット４２と接触する部分のみに配置して、シールドケース６６の上面６６ａの残りの部分には、テープ６５、６８及び６９と同一構成の接着性テープを用いてもよい。
【００２５】
本発明について上記実施形態を参照しつつ説明したが、本発明は上記実施形態に限定されるものではなく、改良の目的または本発明の思想の範囲内において改良または変更が可能である。
【００２６】
【発明の効果】
以上説明したように、本発明によると、金属製のシールド部材のうち湾曲部の連結リベットに近接する部分に、強度が高く、かつ、接着層を有する電気絶縁性テープの総厚と同じ厚さのシートを配置したため、先端硬性部の径を変えることなしに、湾曲動作を繰り返してシートと連結リベットとが擦れ合ってもシートが破れてしまうことがほとんどなく、長期間にわたって安定した絶縁機能を維持することができる。
【図面の簡単な説明】
【図１】本発明の実施形態にかかる内視鏡全体の構成を示すである。
【図２】本発明の実施形態にかかる内視鏡の先端硬性部及び湾曲部の中心軸を含み上下方向に沿って切断した縦断面図である。
【図３】本発明の実施形態にかかる内視鏡の湾曲を湾曲させたときの様子を示す図である。
【図４】図２のＶ−Ｖ線における断面図である。
【図５】本発明の実施形態にかかるシート６７及びテープ６５の構成を示す断面図である。
【図６】従来の内視鏡の先端硬性部及び湾曲部の中心軸を含み上下方向に沿って切断した縦断面図である。
【図７】図６のＶＩＩ−ＶＩＩ線における断面図である。
【符号の説明】
１      内視鏡
４０  湾曲部
４１  湾曲節輪
４２  連結リベット
６０  先端硬性部
６１  固体撮像素子
６４  基板
６６  シールドケース
６７  電気絶縁性シート（非接着シート）
６８  電気絶縁性テープ（接着テープ）
【図１】
2004236678.tif 000003
【図２】
2004236678.tif 000004
【図３】
2004236678.tif 000005
【図４】
2004236678.tif 000006
【図５】
2004236678.tif 000007
【図６】
2004236678.tif 000008
【図７】
2004236678.tif 000009